(57)【要約】    【課題】  ボトルをボトル首部にて保持するボトルキャリアにおいて、構成及び着脱操作を複雑化することなく、十分な支持力が得られるようにする。    【解決手段】  輪郭が凹部２０を有してなる板状部２と、前記板状部に着脱可能に取り付けられる着脱部４と、を備え、前記板状部２は、ボトル首部６０をして、前記凹部２０の開放端側から前記凹部内に向かって進入させることのできる形状及び大きさで形成され、前記着脱部４は、前記凹部内に前記ボトル首部が進入させられたボトルのボトル頭部６５をして、当該着脱部４の内側を通過させて前記板状部２の面に取り付けられることのできる形状及び大きさで一体に形成されている。【選択図】  図２
2006182358.tif 000002
【特許請求の範囲】
【請求項１】
ボトル首部にて当該ボトルを保持するボトルキャリアであって、
輪郭が凹部を有してなる板状部と、
前記板状部に着脱可能に取り付けられる着脱部と、
を備え、
前記板状部は、前記ボトル首部をして、前記凹部の開放端側から前記凹部内に向かって進入させることのできる形状及び大きさで形成され、
前記着脱部は、前記ボトル首部より大径でボトル口部側に位置するボトル頭部であって前記凹部内に向かって前記ボトル首部が進入させられたボトルのボトル頭部をして、当該着脱部の内側を通過させて前記板状部の面に取り付けられることのできる形状及び大きさで一体に形成され、
前記着脱部は、前記板状部の面に取り付けられた際に、
前記凹部の開放端側に及んで、前記ボトル首部の前記開放端側に戻る方向への移動を規制し、かつ、
前記凹部とともに、前記ボトル頭部の径より小さい貫通孔を形成して、前記ボトル頭部の前記着脱部内側を戻る方向への移動を規制する、ボトルキャリア。
【請求項２】
請求項１において、
前記凹部は、前記首部断面の過半を進入させることのできる形状及び大きさである、ボトルキャリア。
【請求項３】
請求項１又は請求項２において、
前記板状部には、当該板状部の面より離れる方向に延在する取っ手が設けられており、
前記取っ手及び前記着脱部には、両者の間に紙片を挟んで両者を係止する係止手段が設けられた、ボトルキャリア。
【発明の詳細な説明】
【技術分野】
【０００１】
本発明はＰＥＴボトルその他のボトルを、ボトル首部にて保持し、容易に持ち運び可能にするためのボトルキャリアに関する。
【背景技術】
【０００２】
ボトルを、ボトル首部にて保持し、容易に持ち運び可能にするためのボトルキャリアは、例えば実公昭４９−１１８０７号公報や、特開平１１−１３０１２８号公報に記載されている。
【０００３】
実公昭４９−１１８０７号公報は、びんの王冠の径よりやや大きめの穴を設けた仕切板（Ａ）に、仕切板の穴をわずかに覆うような半円状の凹部を有する自由片を設けた支持板（Ｂ）を固着したものを、開示している。
これによれば、仕切板（Ａ）を下方にしてびんの頭部を仕切板（Ａ）の穴に挿入し仕切板（Ａ）を押下げると、支持板（Ｂ）の自由片が上方に折曲げられ、一定の所まで押下げられるとびんの王冠部を通過する。自由片が通過した後、仕切板（Ａ）の吊穴で持上げると、支持板（Ｂ）の自由片がびん王冠部に係止される。この状態でさらに吊穴を持上げると、自由片に係止されたびんが持上げられ携帯できる。
【０００４】
特開平１１−１３０１２８号公報は、一枚の厚紙製の基体（１）に、ボトルの飲み口部に形成された鍔部の径よりも大きい穴を形成し、前記基体に折り曲げ片（３）を一体に設けると共に、この折り曲げ片（３）に、折り曲げたときに前記基体（１）の穴に装着されたボトルの鍔部の下部に当接して前記ボトルの落下を阻止する半円状の凹部を形成したことを特徴とするボトルキャリアを、開示している。
これによる場合も、ボトルのキャップの上から基体（１）の穴を通してボトルキャリアを押し込む。その後、折り曲げ片（３）を折り曲げて凹部がボトルの鍔部の下側に来るように押し込むと、折り曲げ片（３）はボトルの鍔部の下部に止められて戻ることはない。この状態でボトルキャリアをつまみ上げると、ボトルの鍔部が折り曲げ片（３）の凹部の周部で支えられているので、ボトルをつかみ上げることができる。
【特許文献１】実公昭４９−１１８０７号公報
【特許文献２】特開平１１−１３０１２８号公報
【発明の開示】
【発明が解決しようとする課題】
【０００５】
しかしながら、上記各公報のいずれの発明においても、半円状の凹部は、折り曲げ部を支点としてボトルの鍔部の上方から下方に向かってセットされる必要があるので、その形状及び大きさはボトルの鍔部を通過し得るものでなければならない。このような制約があるため、上記各公報の発明ではボトルの鍔部のほんの一部しか支持することができず、十分な支持力が得られなかった。
【０００６】
本発明は、ボトルをボトル首部にて保持するボトルキャリアにおいて、構成及び着脱操作を複雑化することなく、十分な支持力が得られるようにすることを目的とする。
【課題を解決するための手段】
【０００７】
上記目的を達成するため、本発明のボトルキャリアは、ボトル首部にて当該ボトルを保持するボトルキャリアであって、輪郭が凹部を有してなる板状部と、前記板状部に着脱可能に取り付けられる着脱部と、を備えている。
そして、前記板状部は、前記ボトル首部をして、前記凹部の開放端側から前記凹部内に向かって進入させることのできる形状及び大きさで形成され、前記着脱部は、前記ボトル首部より大径でボトル口部側に位置するボトル頭部であって前記凹部内に向かって前記ボトル首部が進入させられたボトルのボトル頭部をして、当該着脱部の内側を通過させて前記板状部の面に取り付けられることのできる形状及び大きさで一体に形成されている。
更に、前記着脱部は、前記板状部の面に取り付けられた際に、前記凹部の開放端側に及んで、前記ボトル首部の前記開放端側に戻る方向への移動を規制し、かつ、前記凹部とともに、前記ボトル頭部の径より小さい貫通孔を形成して、前記ボトル頭部の前記着脱部内側を戻る方向への移動を規制する。
【０００８】
このボトルキャリアの板状部には、ボトルの首部をして凹部の開放端側から進入させることができるので、上記各公報のように凹部がボトルの頭部を通過する必要はない。従って、凹部の形状及び大きさは、小径のボトル首部が進入できるものであれば良く、ボトル首部に対する十分な引っ掛かりが可能であるから、ボトルを十分な支持力で支持することができる。
ボトルの首部が凹部の開放端側から進入した後は、ボトル頭部をして着脱部内側を通過させて着脱部を板状部の面に取り付ける。これにより、凹部の開放端側に戻る方向への移動を規制し、かつ、着脱部内側を戻る方向への移動を規制するので、構成及び着脱操作を複雑化することなく、ボトルを十分な支持力で支持することができる。
【０００９】
上記ボトルキャリアにおいて、前記凹部は、前記首部断面の過半を進入させることのできる形状及び大きさであることが望ましい。
これにより、ボトル首部の対向する両側面が板状部の凹部に挟まれるので、凹部だけでも十分な支持力でボトルを支持することができ、着脱部とともに用いることで確実にボトルを支持することができる。
【００１０】
上記ボトルキャリアにおいて、前記板状部には、当該板状部の面より離れる方向に延在する取っ手が設けられており、前記取っ手及び前記着脱部には、両者の間に紙片を挟んで両者を係止する係止手段が設けられたものであることが望ましい。
【００１１】
このボトルキャリアからボトルを外した後は、着脱部と取っ手の間に写真などの紙片を挟んで両者を係止させ、フォトスタンドとして使用することができる。
この場合、フォトスタンドの底面を形成する上記板状部は、少なくともボトルの首部を支持する凹部が形成されるだけの幅があるので、フォトスタンドが倒れるのを防止するのに十分な面積を有している。
また、着脱部は、ボトルキャリアとして用いた場合にボトルの脱落を防止するため板状部の凹部の開放端側に及んでいる。従って、フォトスタンドの底面となる板状部は着脱部より小面積とすることが容易であり、フォトスタンドの設置面積を比較的小さくすることができる。逆に、着脱部の面積を大きくとることができるので、比較的大きな紙片を挟むことができる。
【発明の効果】
【００１２】
本発明によれば、ボトルをボトル首部にて保持するボトルキャリアにおいて、構成及び着脱操作を複雑化することなく、十分な支持力を得ることができる。
【発明を実施するための最良の形態】
【００１３】
次に、本発明の一例である実施形態について、図面を参照して説明する。
【００１４】
＜１．ボトルキャリアの構成＞
図１は、本発明の実施形態に係るボトルキャリアを組み立てた状態の斜視図であり、図２は、上記ボトルキャリアの組み立て過程を示す斜視図である。このボトルキャリアは、輪郭が凹部を有してなる板状部２と、前記板状部に着脱可能に取り付けられる着脱部４と、を備えている。
【００１５】
＜１−１．板状部２＞
板状部２は略長方形状であることが望ましく、その端縁に凹部２０が形成されている。凹部２０は１対以上形成されていることが望ましく、各対は互いに反対方向の開放端を有することが望ましい。図示の例では、略長方形状の板状部２の対向する２辺に、凹部２０の対が形成され、各対の凹部は互いに反対方向に開放端を有している。図示の例では、凹部２０の数は４つ（２対）であるが、これ以外の数でもよい。
【００１６】
各凹部２０は、ボトル６の首部６０より曲率が小さく頭部６５より曲率が大きい半円状部２１と、半円状部２１の最大径部分と同じ間隔を保ったまま開放端まで繋がる平行部２２とで形成されている。その結果、凹部２０は、開放端側からボトル６の首部６０を矢印Ａ方向に進入させることができる形状及び大きさで形成され、特に、首部断面の過半を進入させることができる形状及び大きさとなっている。凹部２０の半円状部２１及び平行部２２の内側をボトル頭部６５が通過することはできないため、ボトル首部６０が凹部２０内に進入させられると、凹部２０の開放端側に戻らない限りボトル６が凹部２０から外れることはない。
【００１７】
板状部２は、飲料又はその他の内容物が入ったボトルの荷重を支えるため、硬質樹脂などで形成するのが好ましく、また、肉厚部２３などによる補強を適宜施してあることが望ましい。
【００１８】
板状部２には、当該板状部の面より離れる方向に延在する取っ手３が設けられている。この取っ手３は、手で把持するための横棒部３１と、横棒部３１を板状部２に連結する縦棒部３２とを備えている。図示の例では、横棒部３１の両端が２本の縦棒部で板状部２に連結されているので、横棒部３１、縦棒部３２、板状部２により、略長方形状の窓部３４が形成される。
【００１９】
縦棒部３２と板状部２の間には立ち上がり部３３が形成されている。立ち上がり部３３は、互いに反対方向を向いた凹部２０の対に挟まれた中間の位置に設けられることが望ましい。これにより、取っ手３を把持したときに、対のボトルをバランスよく支持することができる。
【００２０】
立ち上がり部３３と縦棒部３２との境界には、取っ手３を板状部２に対して折り曲げることのできるヒンジ３７が形成されている。
【００２１】
＜１−２．着脱部４＞
着脱部４は略長方形の板状で一体に形成されていることが望ましく、ボトル頭部６５をして着脱部４の内側を通過させることのできる穴４０が、板状部２の凹部２０の数及び配置に対応して形成されている。穴４０はボトル頭部６５の径より若干大きな円形であることが望ましい。また、穴４０の位置は、ボトル首部６０が凹部２０の最も奥まで進入した場合のボトル頭部６５の位置に一致することが望ましい。従って、凹部２０の半円状部２１を画成する弧を含む円の中心位置と、穴４０の中心位置とが一致することが最も好ましい。
【００２２】
また、着脱部４の外形寸法と、取っ手３の外形寸法はほぼ一致することが望ましい。その理由については後述する。
【００２３】
着脱部４の中央には、取っ手３を挿通させて着脱部４を板状部２の面に対して矢印Ｂ方向に取り付けることを可能とするスリット４６が形成されている。着脱部４と取っ手３の外形寸法はほぼ一致させてあるが、スリット４６の両端付近については着脱部４の輪郭に膨らみ４３を持たせている。
【００２４】
＜２．ボトルキャリアとしての作用＞
本実施形態のボトルキャリアは、以上のように構成してあるので、板状部２の凹部２０にボトル６の首部６０を進入させた状態で、着脱部４のスリット４６内に取っ手３を挿通させていくと、着脱部４の穴４０内をボトル６の頭部６５が通過し、着脱部４を板状部２の面に当接させることができる。こうすることにより、着脱部４は凹部２０の開放端側に及んで、ボトル首部６０が凹部２０の開放端側に戻る方向（矢印Ａと反対の方向）に移動しないようにすることができる。更に、着脱部４の穴４０と板状部２の凹部２０とで形成される貫通孔は、ボトル頭部６５の径より小さいので、ボトル頭部６５が着脱部４の内側を通って矢印Ｂ方向に抜け落ちてしまうこともない。
【００２５】
図３には、上記ボトルキャリアにボトルを取り付けた状態の斜視図が示されている。この状態で取っ手３を把持して持ち上げれば、板状部２とこれに取り付けられた着脱部４も持ち上げられ、これらに取り付けられたボトル６も持ち上げられる。
【００２６】
ボトルキャリアからボトル６を取り外すときは、着脱部４を板状部２から離れる方向に持ち上げ、着脱部４の穴４０内をボトル頭部６５が通過すれば、ボトル６を板状部２の凹部２０から取り外すことができる。
【００２７】
図４は、上記ボトルキャリアを折り畳んだ状態を示す斜視図である。ボトルキャリアにボトル６を取り付けない場合などにおいて、取っ手３をヒンジ３７で折り曲げれば、ボトルキャリア全体をコンパクトに収納することができる。なお、着脱部４は図４に示すように取っ手３と板状部２との隙間に挿入しても良いし、図１に示す組み立て状態のままヒンジ３７で折り曲げても良い。また、図３のようにボトル６を取り付けた状態のままヒンジ３７で折り曲げることも可能である。
【００２８】
なお、支持されるボトル６としては、飲料などを収容するＰＥＴ（ポリエチレンテレフタレート）ボトルの他、スチール製のいわゆる広口ボトル、ガラス製の瓶など、首部と首部より大径で口部側に位置する頭部とを備えたボトルであれば、本発明の適用が可能である。
【００２９】
＜３．フォトスタンドとしての作用＞
図５は、上記ボトルキャリアをフォトスタンドとして使用する場合の組み立て過程を示す斜視図である。
【００３０】
本実施形態のボトルキャリアは、取っ手３と着脱部４との間に写真などの紙片７を挟んでフォトスタンドとして使用することも可能である。フォトスタンドとして使用するために、このボトルキャリアには、取っ手３の上端に位置する横棒部３１の両端及び立ち上がり部３３の両端と、これに対応する着脱部４の４隅の箇所とに、取っ手３と着脱部４とを係止する係止手段３８、４８が設けられている。係止手段３８、４８の具体的構成としては、例えば、取っ手３の横棒部３１と立ち上がり部３３には係止突起３８を設け、着脱部４の４隅にはこの係止突起が挿入される穴４８を設け、或いはこれと逆に、取っ手３の横棒部３１と立ち上がり部３３に穴を設け、着脱部４の４隅にはこの穴に挿入される係止突起を設ければ良い。この係止手段は、ヒンジ３７を跨いだ位置に複数設けることが望ましい。
【００３１】
ここで、着脱部４の外形寸法と、取っ手３の外形寸法はほぼ同じとすることが望ましい。これにより、着脱部４を取っ手３に取り付けた際に、両者の配置を揃えることができる。
【００３２】
写真などの紙片７は、表側の面を取っ手３側に、裏側の面を着脱部４側にしてこれらの間に挟んで取っ手３と着脱部４とを係止する。これにより、取っ手３に形成された窓部３４から紙片７の表側の面が見られるように紙片７を展示することができる。本実施形態では、取っ手３に形成された窓部３４は、横棒部３１と縦棒部３２によってほぼ長方形に形成されているので、長方形の紙片７をそのままの形で展示することができる。
【００３３】
＜４．本実施形態の効果＞
本実施形態のボトルキャリアによれば、ボトル首部６０を凹部２０の開放端側から進入させることができるので、ボトル頭部６５を凹部２０内に通す必要はない。従って、凹部２０の形状及び大きさは、小径のボトル首部６０が進入できるものであれば良く、ボトル首部６０に対する十分な引っ掛かりが可能であるから、ボトル６を十分な支持力で支持することができる。
【００３４】
特に本実施形態では、板状部２の凹部２０がボトル６の首部断面の過半を進入させることができる形状及び大きさで形成されているので、首部６０の対向する両側面が凹部２０に挟まれ、凹部２０だけでも十分な支持力でボトル６を支持することができる。
【００３５】
ボトル首部６０が凹部２０の開放端側から進入した後は、ボトル頭部６５をして着脱部４の穴４０内を通過させて着脱部４を板状部２の面に取り付ける。これにより、凹部２０の開放端側に戻る方向への移動を規制し、かつ、着脱部４の穴４０内を戻る方向への移動を規制するので、構成及び着脱操作を複雑化することなく、ボトル６を十分な支持力で支持することができる。
【００３６】
本実施形態のボトルキャリアは、フォトスタンドとして使用することもできる。フォトスタンドの底面を形成する板状部２は、少なくともボトル首部６０を支持する凹部２０が形成されるだけの幅があるので、フォトスタンドが倒れるのを防止するのに十分な面積を有している。
【００３７】
また、着脱部４は、ボトルキャリアとして用いた場合にボトルの脱落を防止するため板状部２の凹部２０の開放端側に及んでいる。従って、フォトスタンドの底面となる板状部２は着脱部４より小面積となり、フォトスタンドの設置面積を比較的小さくすることができる。逆に、着脱部４の面積が大きいので、比較的大きな紙片７を挟むことができる。
【００３８】
取っ手３は板状部２の面より離れる方向に延在するので嵩張りやすく、そのためヒンジ３７などによる折り畳みは好ましいものであるが、フォトスタンドとして使用するときはヒンジ３７で折り曲げられてしまうのは不都合である。本実施形態では複数の係止手段３８を、ヒンジ３７を跨いだ位置に設けているので、ヒンジ３７で結合される取っ手３の縦棒部３２と立ち上がり部３３とを着脱部４の面で固定することができ、ヒンジ３７で折り曲げられることを防止することができる。
【図面の簡単な説明】
【００３９】
【図１】本発明の実施形態に係るボトルキャリアを組み立てた状態の斜視図である。
【図２】上記ボトルキャリアの組み立て過程を示す斜視図である。
【図３】上記ボトルキャリアにボトルを取り付けた状態の斜視図である。
【図４】上記ボトルキャリアを折り畳んだ状態を示す斜視図である。
【図５】上記ボトルキャリアをフォトスタンドとして使用する場合の組み立て過程を示す斜視図である。
【符号の説明】
【００４０】
２…板状部、２０…凹部、２１…半円状部、２２…平行部、２３…肉厚部、
３…取っ手、３１…横棒部、３２…縦棒部、３３…立ち上がり部、３４…窓部、３７…ヒンジ、３８…係止突起（係止手段）、
４…着脱部、４０…穴、４３…膨らみ、４６…スリット、４８…穴（係止手段）、
６…ボトル、６０…ボトル首部、６５…ボトル頭部、
７…紙片
【図１】
2006182358.tif 000003
【図２】
2006182358.tif 000004
【図３】
2006182358.tif 000005
【図４】
2006182358.tif 000006
【図５】
2006182358.tif 000007